(57)【特許請求の範囲】
【請求項１】
鉄板により形成された薄形箱状で長尺の本体と、
この本体の少なくとも一部に配置されて、一方側が開口され鉄板により形成された膨出部と、
この膨出部に内蔵されて、その両端が前記膨出部の内壁面に溶接固着されている鉄筋により補強されたコンクリート材からなる遮音材と、
前記本体の長辺及び短辺に各々設けられた他の本体との連結機構部と、
を具備することを特徴としたパネル状構築用部材。
【発明の詳細な説明】
【発明の属する技術分野】
本発明は、パネル状構築用部材に関し、詳しくは、例えば騒音を発生する各種工場内或いは各種工事現場等々における種々の建屋、防音壁等の各種の規模に即応できるような汎用性を有する組立式の防音建屋用、防音壁用等として好適な遮音処理が施されたパネル状構築用部材に関するものである。
【従来の技術】
従来、騒音を発生する各種の建設工事、土木工事等の現場或いは騒音発生源となる機器類が収置される各種工場内、工事現場等々において、近隣への騒音公害を排除すべく、例えば板状のパネルに格別に形成した防音パネル等を使用するなど、種々の試みがなされている。
【発明が解決しようとする課題】
しかしながら、上述した従来の防音パネルの場合、防音材が必ずしも十分な防音効果を発揮せず、また、価格面でも満足し得るものはなかった。
本発明は、上記事情に鑑みてなされたものであり、簡略な構造で騒音又は超低周波の遮音作用に優れた低コストのパネル状構築用部材を提供することを目的とするものである。
【課題を解決するための手段】
本発明のパネル状構築用部材は、パネル部材の少なくとも一部に、遮音材を配置したことを特徴とするものである。遮音材としては、コンクリート材を使用するものである。
この発明のパネル状構築用部材によれば、この構築用部材を任意数組み合わせて使用し、家屋状又は壁状として使用することで、遮音材であるコンクリート材の遮音作用により、各種の騒音の遮音を図ることができる。また、遮音材として、コンクリート材を使用するので、低コストのパネル状構築用部材を得ることができる。
また、本発明のパネル状構築用部材は、薄形箱状で長尺の本体と、この本体の少なくとも一部に配置した遮音材と、前記本体の長辺及び短辺に各々設けた他の本体との連結機構部とを有することを特徴とするものである。
この発明のパネル状構築用部材によれば、遮音材の遮音作用により、各種の騒音の遮音を図ることができ、且つ、本体の長辺及び短辺に、各々他の本体との連結機構部を備えているので、家屋状又は壁状の構築物を建造するのも容易となる。
更に、本発明のパネル状構築用部材は、薄形箱状で長尺の本体と、この本体の少なくとも一部に配置したコンクリート材と、前記本体の長辺及び短辺に各々設けた他の本体との連結機構部とを有することを特徴とするものである。
この発明のパネル状構築用部材によれば、前記したと同様に、遮音材であるコンクリート材の遮音作用により、各種の騒音の遮音を図ることができ、且つ、本体の長辺及び短辺に、各々他の本体との連結機構部を備えているので、家屋状又は壁状の構築物を建造するのも容易となる。また、遮音材として、コンクリート材を使用するので、低コストのパネル状構築用部材を得ることができる。
前記本体の少なくとも一部に配置したコンクリート材は、鉄筋により補強して配置しても良い。この場合、前述した各作用とともに、コンクリート材の補強をもってパネル状構築用部材を一層補強できる。
【発明の実施の形態】
以下に、本発明の実施の形態を詳細に説明する。
図１乃至図３は、本発明の実施の形態に係るパネル状構築用部材１を示すものである。
このパネル状構築用部材１は、騒音を発生する各種の建設工事、土木工事等の現場或いは騒音発生源となる機器類が収置される各種工場内等々における防音建屋を構築するためのものであり、使用現場で簡易に組み立てて使用する組立式防音建屋用として好適なものである。
即ち、このパネル状構築用部材１は、鋼製等からなり、薄箱状に形成された長尺の本体でパネル状の本体パネル２と、補強部材８とからなる本体１０を具備し、この本体パネル２の一部に、図２に拡大して示す如く、鉄筋４により補強された遮音材としてのコンクリート材３を内蔵し一方側が開口した膨出部１１を設けている。前記鉄筋４の両端は、膨出部１１の内壁面に溶接により固着されている。
前記鉄筋４の配置数は、パネル状構築用部材１のサイズに応じて、自在に増減することが可能である。
前記本体パネル２の長尺側のチャンネル状に形成した辺２ａ、２ｂには、他の本体パネル２と連結するための所要数のボルト締着用の穴６を設けている。
また、前記本体パネル２に対して、長尺側の辺２ａ、２ｂから膨出部１１の両開口縁に至る断面コ状の補強用部材１２を取り付けている。
また、前記補強部材８には、ほぼＬ形状の吊り用フック１３を取り付けている。
一方、前記本体パネル２の両側短辺には、それぞれ薄板状の短辺支持材１５ａ、１５ｂが取り付けられ、この短辺支持材１５ａ、１５ｂには、図２に示す如く、他の本体パネル２の短辺に連結するための所要数のボルト締着用の穴１６を設けている。
このパネル状構築用部材１によれば、所要数のパネル状構築用部材１を、長尺側及び短尺側に夫々任意数ボルト連結で組み合わせて使用することにより、建屋や防音壁等々の各種規模に即応できる汎用性を発揮でき、例えば、図４に示すような組立式防音建屋２０を構築し、その内部に配置されるプレス機器類等の機械装置が発する騒音を遮音材としてのコンクリート材３の遮音作用で、音が外部に漏れないように遮音できる。この場合、パネル状構築用部材１は表裏の区別を問わず、いずれの面を表面として使用することができる。
上述した場合と逆に、組立式防音建屋２０の内部を外部からの騒音が遮音された遮音空間として活用することもできる。
上述したように、本実施の形態のパネル状構築用部材１は、各種工場内の騒音発生源となるような機器、例えばプレス機器類等を、工場内で包囲するような状態で、組立・分解の自在な防音家屋として組み立てて使用することができる。
また、各種の工事現場で、近隣住民に工事音、騒音を遮断する為に工事現場全体を包囲するような状態で、組立・分解の自在な防音家屋として組み立てて使用する。
更に、組立家屋状態での使用の他、騒音源の騒音波及防止のために、本実施の形態のパネル状構築用部材１を長尺側及び短尺側に夫々任意数ボルト連結で組み合わせ、遮音壁の状態に組み立てたて使用しても良い。
【発明の効果】
本発明によれば、遮音材の遮音作用で騒音の遮音に優れ、且つ、低コストのパネル状構築用部材を提供することができる。
また、本発明によれば、上記効果に加え、家屋状又は壁状の遮音作用を発揮する構築物を建造することが容易なパネル状構築用部材を提供することができる。
【図面の簡単な説明】
【図１】本発明の実施の形態に係るパネル状構築用部材を示す平面図である。
【図２】本実施の形態に係るパネル状構築用部材を示す側面図である。
【図３】本実施の形態に係るパネル状構築用部材の部分拡大断面図である。
【図４】本実施の形態に係るパネル状構築用部材を例えば組立式防音建屋として使用した場合の組み立て状態を示す斜視図である。
【符号の説明】
１    パネル状構築用部材
２    本体パネル
２ａ  辺
２ｂ  辺
３    コンクリート材
４    鉄筋
６    穴
８    補強部材
１０    本体
１１    膨出部
１２    補強用部材
１３    吊り用フック
１５ａ  短辺支持材
１５ｂ  短辺支持材
１６    穴
２０    組立式防音建屋
【図１】
0003985207.tif 000002
【図２】
0003985207.tif 000003
【図３】
0003985207.tif 000004
【図４】
0003985207.tif 000005